(57)【要約】【課題】            トレー上に載置またはトレーから取出す際に、ケーキ等の内容物への損傷を軽減するケーキ用トレーを提供する。【解決手段】        本考案で提案するケーキ用トレー１は、皿底４の上面側にケーキＫの移動を規制する所定高さの平面視形状が正方形その他の正多角形である周壁３を突設した構造において、上記皿底４の上面とケーキＫとの間にケーキサーバーＳを差込むためのケーキサーバー通過用の切欠９を前記周壁３の上端側に２箇所以上形成した。  そしてトレー１が底板２と折畳み起立可能に構成された周壁３とからなる箱皿部材１ｂと該箱皿部材１ｂの底面を接着固定する台板１ａとからなり、該周壁３の外周と台板１ａの外周との間に所定幅の鍔状の縁部６を設けた。【選択図】          図１
0003104095.tif 000002
【実用新案登録請求の範囲】
【請求項１】
トレー（１）の皿底（４）の上面側にケーキ（Ｋ）の移動を規制する所定高さの周壁（３）を突設した構造において、上記皿底（４）の上面とケーキ（Ｋ）との間にケーキサーバー（Ｓ）を差込むためのケーキサーバー通過用の切欠（９）を前記周壁（３）の上端側に形成したケーキ用トレー。
【請求項２】
周壁（３）の平面視形状が正方形その他の正多角形である請求項１のケーキ用トレー。
【請求項３】
切欠（９）を周壁（３）の２箇所以上に形成した請求項１又は２のケーキ用トレー。
【請求項４】
トレー（１）が底板（２）と周壁（３）とからなる箱皿部材（１ｂ）と該箱皿部材（１ｂ）の底面を接着固定する台板（１ａ）とからなる請求項１，２又は３のケーキ用トレー。
【請求項５】
周壁（３）が折畳み起立可能に構成された請求項１，２，３又は４のケーキ用トレー。
【請求項６】
周壁（３）の外周と台板（１ａ）の外周との間に所定幅の鍔状の縁部（６）を設けた１，２，３，４又は５のケーキ用トレー。
【考案の詳細な説明】
【技術分野】
【０００１】
この考案はケーキ等の内容物を載置するケーキ用トレーに関する。
【背景技術】
【０００２】
従来のケーキ用トレーとしては、下記特許文献１に示すように台板１４上にひだ部１５，１６を介して２重構造の側壁１２，１３を起立形成した箱体Ａを接着固定したものが公知である。
【特許文献１】実開昭５７−１６７０８５号公報（第３図）
【考案の開示】
【考案が解決しようとする課題】
【０００３】
しかし上記特許文献１の公知技術は、トレーに対しケーキサーバーを用いてケーキを収納又は取出しする際に周壁の高さによってケーキ及びケーキサーバーの傾きが大きくなって反対側の周壁でケーキ外周を損傷易いほか、ケーキを収納し難く、ケーキをトレー上から取出す際にはトレー周壁の高さにより容易にケーキサーバーを挿入することができなかった。
また店頭の現場でトレーに収納したままディスプレイする際にも、トレー周壁の高さによってケーキの下端側が隠れ、ディスプレイ効果が半減するという問題があった。
この考案は、これらの課題を解決又は改善しようとするものである。
【課題を解決するための手段】
【０００４】
上記課題を解決するための本考案のケーキ用トレーは、第１に、トレー１の皿底４の上面側にケーキＫの移動を規制する所定高さの周壁３を突設した構造において、上記皿底４の上面とケーキＫとの間にケーキサーバーＳを差込むためのケーキサーバー通過用の切欠９を前記周壁３の上端側に形成したことを特徴としている。
【０００５】
第２に、周壁３の平面視形状が正方形その他の正多角形であることを特徴としている。
【０００６】
第３に、切欠９を周壁３の２箇所以上に形成したことを特徴としている。
【０００７】
第４に、トレー１が底板２と周壁３とからなる箱皿部材１ｂと該箱皿部材１ｂの底面を接着固定する台板１ａとからなることを特徴としている。
【０００８】
第５に、周壁３が折畳み起立可能に構成されたことを特徴としている。
【０００９】
第６に、周壁３の外周と台板１ａの外周との間に所定幅の鍔状の縁部６を設けたことを特徴としている。
【考案の効果】
【００１０】
以上の如く構成される本考案のケーキ用トレーによれば、ケーキをトレーに収納する際又はトレー上から取出す際にケーキ及びケーキサーバーの傾き角度を小さくすることができるので、ケーキをケーキサーバーや対面側の周壁で傷つけることがなくなり、ケーキの収納及び取出し作業が容易となった。
また切欠を設けたので、店頭等の現場でトレーに収納してディスプレイする際の展示上の効果が高まった。
【考案を実施するための最良の形態】
【００１１】
以下本考案の実施形態を図面に基づき説明する。図１は完成状態を示す斜視図，図２は分解斜視図，図３は箱皿部材と台板それぞれの内面展開図を示している。
【００１２】
ケーキ用トレー１（以下単にトレー１という）は正方形又は長方形の台板１ａと箱皿部材１ｂから構成されている。該箱皿部材１ｂは正方形又は長方形の底板２の外周に対してケーキＫの移動を規制するための所定高さの前後壁３ａ，３ｂ及び左右壁３ｃ，３ｄで構成される周壁３が突設され、内部にケーキＫを収納するための皿底４が形成されている。そしてトレー１は台板１ａ上に所定幅の鍔状の縁部６を形成させて前記箱皿部材１ｂの底面が接着固定される構成となっている。
【００１３】
また上記周壁３を構成している前後左右壁３ａ，３ｂ，３ｃ，３ｄは、図３に示すように底板２に対して折曲可能に連設された前後左右外周壁７ａ，７ｂ，７ｃ，７ｄと、該前後左右外周壁７ａ，７ｂ，７ｃ，７ｄの自由端に箱皿部材１ｂの内側に折り返し形成される前後左右内周壁８ａ，８ｂ，８ｃ，８ｄとで、箱皿部材１ｂの周壁３を二重壁として構成している。そして、この例では前外周壁７ａと前内周壁８ａとで構成される前壁３ａの中央上端部に、箱皿部材１ｂの皿底４の上面とケーキＫとの間にケーキサーバーＳを差込むためのケーキサーバーＳ通過用の切欠９が切り欠き形成されている。
【００１４】
さらに図３の内面展開図に示すように隣接交差する前後外周壁７ａ，７ｂと左右外周壁７ｃ，７ｄの端部間に、内面側において山線の折目１１を介してひだ状に折曲られ前後外周壁７ａ，７ｂと左右外周壁７ｃ，７ｄとを連結する連結部１２が連設されている。また底板２と左右外周壁７ｃ，７ｄ間の折目には係止孔１３が切込形成され、左右内周壁８ｃ，８ｄの自由端には爪状の突起部１４が突出形成されている。そして左右内周壁８ｃ，８ｄを起立した際に、前記係止孔１３に突起部１４が嵌合係止することによって、左右壁３ｃ，３ｄの起立状態を保持する構成となっている。この例では爪状の突起部１４は、左右内周壁８ｃ，８ｄの自由端側で且つ前後端部よりやや中央寄りに１箇所づつ合計４箇所の突起部が突出形成されており、係止孔１３も突起部１４と対応する位置に切欠形成されている。その他、爪状の突起部１４の中央側の基端部から左右内周壁８ｃ，８ｄの連結基端部の前後端方向に折目１６（内面展開図において山線）が形成されている。
【００１５】
トレー１の箱皿部材１ｂは、前後内周壁８ａ，８ｂの接着代１７ａを左右内周壁８ｃ，８ｄの接着代１７ｂに接着するとともに、連結部１２の接着代１８ａを左右外周壁７ｃ，７ｄの接着代１８ｂに接着する。そして接着形成された上記前後壁３ａ，３ｂ及び前後外周壁７ａ，７ｂに連設された連結部１２を箱皿部材１ｂの底板２上に折畳む。次に左右内周壁８ｃ，８ｄの接着代１９ａを左右外周壁７ｃ，７ｄの接着代１９ｂに接着固定し板状にする。さらに図２に示すように台板１ａの接着代２１ａに所定幅の鍔状の縁部６を介して周壁３を折畳み起立可能に接着固定した箱皿部材１ｂの底面の接着代２１ｂを接着固定し、板状の状態（図示しない）で店頭等の現場へ出荷する。
【００１６】
次に図４の（Ａ），（Ｂ），（Ｃ）に基づき店頭等の現場での組立方法について説明する。（但し前壁３ａに切欠９が形成されていることを除けば対称な図形であるので、左前コーナーについてのみ説明する。）上述の板状の状態から、前外周壁７ａと前内周壁８ａで構成される前壁３ａを起立方向（矢印Ａ1方向）に回動させる。次に上述したように連結部１２が左外周壁７ｃに接着固定されているので、前壁３ａの起立に連動して左外周壁７ｃと左内周壁８ｃで構成される左壁３ｃが上記折目１６に案内されて回動起立する（矢印Ａ2方向）。そして左壁３ｃを起立させると同時に左内周壁８ｃの自由端側に突出形成された爪状の突起部１４を係止孔１３に嵌合係止させて、前壁３ａ及び左壁３ｃの起立を保持する構成となっている。また折畳む際には、左右壁３ｃ，３ｄを折畳み方向（トレー１の外側方向）に回動させることにより容易に折畳むことができる。
【００１７】
以上のような構成による本考案のケーキ用トレー１は、図５に示すようにケーキＫをトレー１の皿底４の上面に載置する際およびケーキＫをトレー１上から取出す際には、前壁３ａに形成されたケーキサーバー通過用の切欠９にケーキサーバーＳを差込むことによって、トレー１に対するケーキＫの傾斜角度を限りなく小さくすることができる。ちなみにケーキサーバーとは例えばケーキを取り分けるのに用いる長三角形のパレットナイフ状の道具のことである。また図６に示すように略四角形の底板３２の各コーナーを折目３３を介してケーキＫの移動を規制する規制部３４を起立形成した台紙３１にケーキＫを収納して、上記ケーキトレー１内に台紙３１とともに収納保持し、また台紙３１とともに取出すこともできる。
【００１８】
その他、この例では台板および箱皿部材の底板を正方形又は長方形と説明したが、六角形等のその他の多角形でも良い。同様に周壁の平面視形状も正方形や長方形に限らず円やその他の多角形状に形成しても良い。またこの例では前壁に形成された切欠もケーキの移動を規制することができれば、形成する箇所，数，形状は上記態様に限らず、自由に他の周壁に形成することが可能である。さらにこの例では周壁を突設することによってその内部（箱皿部材の底板上）に皿底を形成すると説明したが、周壁の下端側に帯状の当接フラップを連設し、台板に該当接フラップを接着固定して、皿底を形成することもできる。その他、突起部，その突起部に対応した係止孔の形成箇所及び数、周壁の高さは自由に変更可能であるとともに、トレー製作の材料も紙に限らず、プラスチック等の板材によっても製作することができる。
【図面の簡単な説明】
【００１９】
【図１】本考案のトレーの完成状態を示す全体斜視図である。
【図２】本考案のトレーの分解斜視図である。
【図３】本考案のトレーの箱皿部材と台板の内面展開図である。
【図４】本考案のトレーの箱皿部材の周壁の形成状態を示す平面図であり、（Ａ）が平板状態，（Ｂ）が周壁の引き起こし作業途中，（Ｃ）が周壁の引き起こし完成状態を示す。
【図５】本考案のトレーへのケーキサーバーを用いたケーキの収納途中を示す斜視図である。
【図６】本考案のトレーに台紙を用いてケーキを収納することを示す斜視図である。
【符号の説明】
【００２０】
１      トレー
１ａ    台板
１ｂ    箱皿部材
２      底板
３      周壁
４      皿底
６      縁部
９      切欠
Ｋ      ケーキ
Ｓ      ケーキサーバー
【図１】
0003104095.tif 000003
【図２】
0003104095.tif 000004
【図３】
0003104095.tif 000005
【図４】
0003104095.tif 000006
【図５】
0003104095.tif 000007
【図６】
0003104095.tif 000008